(57)【特許請求の範囲】
【請求項１】
地中に埋設され、地上に開口する点検口が形成されたますと、
前記ますと所定の雨水流路とを接続し、地中に埋設された管路と、
少なくとも一部が前記点検口の下方に位置するように前記ますの内部に配置された逆流防止弁と、を備え、
前記ますの内部における前記逆流防止弁の上流側に、封水部の少なくとも一部が形成されている、雨水の排水管路構造。
【請求項２】
流入口および流出口が形成され、上下方向に延びる略有底筒状のます本体を有する上流側のますをさらに備え、
前記逆流防止弁が配置されたますは、上流端が前記ます本体の流出口とつながり、上流側に行くにしたがって下方から側方に向かって湾曲したエルボ管と、管継手を介して前記エルボ管に接続され、または前記エルボ管と一体的に形成され、前記点検口が形成された上下方向に延びる点検筒と、を有し、
前記逆流防止弁は、前記点検筒の下側に配置され、
前記ます本体の底部から前記エルボ管の底部にわたって前記封水部が形成される、請求項１に記載の雨水の排水管路構造。
【請求項３】
前記ますの流出口に接続され、上流側に行くにしたがって側方から下方に向かって湾曲したエルボ管をさらに備え、
前記逆流防止弁は、前記エルボ管の内部に配置され、
前記エルボ管の上流端が前記ます内の水に浸漬されることによって、前記ますの内部に前記封水部が形成される、請求項１に記載の雨水の排水管路構造。
【請求項４】
前記逆流防止弁は、
軸を挿通可能な上下方向に延びる軸孔と、雨水を流通させる流通孔とが形成された略水平円盤形状の弁座と、
前記軸孔に挿通される上下方向に延びる軸と、前記軸の上側の端部に形成され、上方から見て前記弁座の流通孔を覆う大きさの略水平円盤形状の弁本体とを有する弁体と、を備え、
前記弁座における前記流通孔の周囲には、上方に向かって広がるようなテーパ面が形成されている、請求項１〜３のいずれか一つに記載の雨水の排水管路構造。
【請求項５】
地中に埋設され、地上に開口する点検口が形成されたますと、
前記ますと所定の雨水流路とを接続し、地中に埋設された管路と、
少なくとも一部が前記点検口の下方に位置するように前記ますの内部に配置された逆流防止弁と、を備え、
前記逆流防止弁は、
軸を挿通可能な上下方向に延びる軸孔と、雨水を流通させる流通孔とが形成された略水平円盤形状の弁座と、
前記軸孔に挿通される上下方向に延びる軸と、前記軸の上側の端部に形成され、上方から見て前記弁座の流通孔を覆う大きさの略水平円盤形状の弁本体とを有する弁体と、を備え、
前記弁座における前記流通孔の周囲には、上方に向かって広がるようなテーパ面が形成されている、雨水の排水管路構造。
【請求項６】
前記逆流防止弁が配置されたますは、宅内の雨水を最終的に一箇所に集める最終ますの一部または全部である、請求項１〜５のいずれか一つに記載の雨水の排水管路構造。
【発明の詳細な説明】
【技術分野】
【０００１】
本発明は、雨水の排水管路構造に係り、特に、逆流防止弁を備えた雨水の排水管路構造に関する。
【背景技術】
【０００２】
例えば戸建て住宅等において雨が降った場合、雨水は雨樋等から宅内のますに集められ、ますから宅外の雨水流路（例えば、側溝や雨水本管等）に排出される。また、宅内に雨水貯留浸透槽が設置されている場合には、雨水は雨水貯留浸透槽にいったん集められ、その後、雨水貯留浸透槽から、あるいは宅内のますを経て、宅外の雨水流路に排出される。
【０００３】
ところで、短時間の間に大量の雨が降った場合などでは、宅外の雨水流路の水量が増え、上記雨水流路から宅内のますに向かって雨水が逆流するおそれがある。そこで、宅内のますと宅外の雨水流路との間の配管に逆流防止弁を設置することが提案されている（特許文献１参照）。
【特許文献１】特開平９−２６８６０８号公報
【発明の開示】
【発明が解決しようとする課題】
【０００４】
しかし、特許文献１に記載された排水管路構造では、逆流防止弁は、宅内のますと雨水本管とを接続する配管内に設置されており、当該配管の全体が地中に埋設されている。そのため、逆流防止弁を配管内に設置した後に、逆流防止弁に付着したごみを取り除く等のメンテナンス作業を行うことは困難であった。
【０００５】
本発明は、かかる点に鑑みてなされたものであり、その目的とするところは、逆流防止弁によって雨水流路からの雨水の逆流を防止するとともに、逆流防止弁のメンテナンス作業が比較的容易な雨水の排水管路構造を提供することにある。
【課題を解決するための手段】
【０００６】
本発明に係る雨水の排水管路構造は、地中に埋設され、地上に開口する点検口が形成されたますと、前記ますと所定の雨水流路とを接続し、地中に埋設された管路と、少なくとも一部が前記点検口の下方に位置するように前記ますの内部に配置された逆流防止弁と、を備えたものである。
【０００７】
上記排水管路構造によれば、逆流防止弁がますの内部に配置され、ますの点検口を通じて逆流防止弁のメンテナンス作業を行うことができる。したがって、排水管路構造を敷設した後に、逆流防止弁のメンテナンス作業を比較的容易に行うことが可能となる。
【０００８】
前記排水管路構造では、前記ますの内部における前記逆流防止弁の上流側に、封水部の少なくとも一部が形成されている。
【０００９】
このことにより、逆流防止弁とともに封水部によっても、異臭や害虫の上流側への侵入を防ぐことができる。
【００１０】
前記排水管路構造は、流入口および流出口が形成され、上下方向に延びる略有底筒状のます本体を有する上流側のますをさらに備え、前記逆流防止弁が配置されたますは、上流端が前記ます本体の流出口とつながり、上流側に行くにしたがって下方から側方に向かって湾曲したエルボ管と、管継手を介して前記エルボ管に接続され、または前記エルボ管と一体的に形成され、前記点検口が形成された上下方向に延びる点検筒と、を有し、前記逆流防止弁は、前記点検筒の下側に配置され、前記ます本体の底部から前記エルボ管の底部にわたって前記封水部が形成されるものであってもよい。
【００１１】
このことにより、前記ますと上記上流側のますとを一体的に取り扱うことによって（例えば、一つのますとして取り扱うことによって）、排水管路構造を容易に配設することができる。
【００１２】
あるいは、前記排水管路構造は、前記ますの流出口に接続され、上流側に行くにしたがって側方から下方に向かって湾曲したエルボ管をさらに備え、前記逆流防止弁は、前記エルボ管の内部に配置され、前記エルボ管の上流端が前記ます内の水に浸漬されることによって、前記ますの内部に前記封水部が形成されるものであってもよい。
【００１３】
このことにより、逆流を防止するとともにメンテナンス作業が容易な雨水の排水管路構造を、比較的容易に形成することができる。
【００１４】
前記逆流防止弁は、軸を挿通可能な上下方向に延びる軸孔と、雨水を流通させる流通孔とが形成された略水平円盤形状の弁座と、前記軸孔に挿通される上下方向に延びる軸と、前記軸の上側の端部に形成され、上方から見て前記弁座の流通孔を覆う大きさの略水平円盤形状の弁本体とを有する弁体と、を備え、前記弁座における前記流通孔の周囲には、上方に向かって広がるようなテーパ面が形成されていることが好ましい。
また、本発明に係る他の雨水の排水管路構造は、地中に埋設され、地上に開口する点検口が形成されたますと、前記ますと所定の雨水流路とを接続し、地中に埋設された管路と、少なくとも一部が前記点検口の下方に位置するように前記ますの内部に配置された逆流防止弁と、を備え、前記逆流防止弁は、軸を挿通可能な上下方向に延びる軸孔と、雨水を流通させる流通孔とが形成された略水平円盤形状の弁座と、前記軸孔に挿通される上下方向に延びる軸と、前記軸の上側の端部に形成され、上方から見て前記弁座の流通孔を覆う大きさの略水平円盤形状の弁本体とを有する弁体と、を備え、前記弁座における前記流通孔の周囲には、上方に向かって広がるようなテーパ面が形成されているものである。
【００１５】
このことにより、弁座に溜まりがちである砂やごみ等の異物は、テーパ面に沿って落下しやすくなる。そのため、必要となるメンテナンス作業の頻度を少なく抑えることができる。
【００１６】
前記逆流防止弁が配置されたますは、宅内の雨水を最終的に一箇所に集める最終ますの一部または全部であることが好ましい。
【００１７】
このことにより、宅内に複数の雨水配管系統があったとしても、逆流防止弁を設ける箇所は一箇所で済む。そのため、メンテナンス作業が容易になる。
【発明の効果】
【００１８】
本発明によれば、雨水本管等からの雨水の逆流を防止するとともに、逆流防止弁のメンテナンス作業が比較的容易な雨水の排水管路構造を実現することができる。
【発明を実施するための最良の形態】
【００１９】
＜実施形態１＞
《雨水の排水管路構造》
図１に示すように、実施形態１に係る逆流防止弁１０は、雨水の排水管路構造１００の一部である最終ます２０の内部に設けられている。この排水管路構造１００は、雨水貯留浸透槽１０１および最終ます２０を備えており、宅内の雨水を宅外の側溝１０２に排出するものである。図示は省略するが、宅内には複数の配管系統が設けられている。それらの配管系統を流れてきた雨水は、合流して雨水貯留浸透槽１０１に流れ込むか、あるいは、雨水貯留浸透槽１０１において合流する。そして、雨水貯留浸透槽１０１に集められた雨水は、最終ます２０に供給される。すなわち、宅内の雨水は、最終的には最終ます２０において一箇所に集められる。
【００２０】
ここで、宅内とは、例えば戸建て住宅や店舗等の敷地のことであり、個人、法人、その他の団体等によって所有される敷地のことである。一方、宅外とは、公共の敷地のことである。
【００２１】
雨水貯留浸透槽１０１には、宅内の雨樋やます等（図示せず）から雨水を導入する管１０３が接続されている。雨水貯留浸透槽１０１と最終ます２０とは、管１０４を介して接続されている。最終ます２０と側溝１０２とは、管１０５を介して接続されている。このような構造により、排水管路構造１００は、管１０３から導入した雨水を雨水貯留浸透槽１０１、管１０４、最終ます２０、および管１０５を通じて、宅外の側溝１０２に排出することとなる。図１において、符号Ｇは地面を表している。雨水貯留浸透槽１０１および最終ます２０は地中に埋設されており、排水管路構造１００の全体が地中に埋設されている。
【００２２】
なお、排水管路構造１００は、本実施形態のように宅内で集めた雨水を側溝１０２に排出するものに限らず、宅内で集めた雨水を宅外の地中に埋設された雨水本管（図示せず）に排出するもの等であってもよい。
【００２３】
《最終ます》
図２および図３に示すように、最終ます２０は、集水ます２１と補助ます２２とから構成されている。図２に示すように、集水ます２１は、有底円筒状の底部２１ａと、底部２１ａの上側に接続された略円筒状の胴部２１ｂと、胴部２１ｂの上側に接続された略円筒状の上部２１ｃと、上部２１ｃの上側に形成された点検口２１ｄを覆う蓋２１ｅとを備えている。胴部２１ｂの側部には、管１０４が接続される受口２１ｆが形成されている。受口２１ｆの内側には、胴部２１ｂの流入口２１ｇが形成されている。底部２１ａの側部には、流出口２１ｈが形成されている。
【００２４】
補助ます２２は、側方から上方に向かって湾曲したエルボ管２２ａと、エルボ管２２ａの上端部に接続されたＴ字状のチーズ２２ｂと、チーズ２２ｂの上側に接続された略円筒状の点検筒２２ｃと、点検筒２２ｃの上側に形成された点検口２２ｄを覆う蓋２２ｅとを備えている。エルボ管２２ａの上流端（すなわち下側の端部）は、集水ます２１の底部２１ａの側部に接続されている。なお、エルボ管２２ａと集水ます２１の底部２１ａとは別部材であってもよいが、本実施形態のように同一部材であってもよい。すなわち、エルボ管２２ａと集水ます２１の底部２１ａとは、一体的に形成されていてもよい。
【００２５】
図４に示すように、蓋２２ｅはいわゆる格子蓋であり、蓋２２ｅには複数の孔２５が形成されている。なお、集水ます２１の蓋２１ｅも蓋２２ｅと同様の構成を有しており、蓋２１ｅにも複数の孔２５が形成されている（図２参照）。このような孔２５は、地表の雨水を集めたり、圧力を開放する点で有用である。ただし、蓋２１ｅまたは蓋２２ｅには、孔２５が形成されていなくてもよい。つまり、蓋２１ｅまたは蓋２２ｅは、孔の形成されていない密閉蓋であってもよい。
【００２６】
《逆流防止弁》
逆流防止弁１０は、略円盤形状の弁座１１と、傘状の弁体１２とを備えている。逆流防止弁１０は、弁座１１がエルボ管２２ａの差口２４とチーズ２２ｂの受口２６との間に挟み込まれた状態で、補助ます２２の内部に配置されている。
【００２７】
図５（ａ）および（ｂ）に示すように、弁座１１は、内側部１１ｂと外周部１１ａとを有している。外周部１１ａは、エルボ管２２ａの差口２４とチーズ２２ｂの受口２６との間に挟まれる部分であり、平板状に形成されている（図５（ｂ）参照）。内側部１１ｂには、軸を挿通可能な軸孔１１ｃと、雨水を流通させる流通孔１１ｄとが形成されている。本実施形態では、流通孔１１ｄは４つ形成されている。ただし、流通孔１１ｄの形状および個数は、本実施形態のものに何ら限定されるわけではない。なお、内側部１１ｂと外周部１１ａとは、本実施形態のように一体であってもよいが、別体であってもよい。例えば、内側部１１ｂの外周部分に凸部または凹部を形成し、外周部１１ａの内周部分に凹部または凸部を形成し、内側部１１ｂおよび外周部１１ａの凸部と凹部とを係合可能とすることにより、内側部１１ｂと外周部１１ａとを着脱可能な構成にしてもよい。これにより、外周部１１ａを除く逆流防止弁１０の他の部分を容易に取り外すことが可能となり、掃除や点検を容易に行うことができる。
【００２８】
図６（ａ）および（ｂ）に示すように、弁体１２は、軸１２ａと、軸１２ａの上端側に形成された弁本体１２ｂと、軸１２ａの下端側に設けられたストッパ１２ｃとを備えている。軸１２ａは、弁座１１の軸孔１１ｃ内にスライド自在に挿通されるものであり、軸１２ａの外径は軸孔１１ｃの内径よりも若干小さくなっている。弁本体１２ｂは、軸方向から見て、すなわち平面視において、弁座１１の流通孔１１ｄを覆う大きさの略円盤形状に形成されている。弁本体１２ｂの上面は、中心側から半径方向外側に向かってなだらかに傾斜する傾斜面となっている。弁本体１２ｂの下面の外周側には、下方に向かって突出する突出部１２ｄが形成されている。この突出部１２ｄには、シールリング１２ｅが嵌め込まれている。詳しくは、突出部１２ｄの底面には、円周上に窪みが形成されており、この窪みにシールリング１２ｅが圧入されている。ストッパ１２ｃは、弁体１２が上向きに移動したときに弁座１１から離脱しないようにするためのものであり（図７参照）、軸孔１１ｃよりも大きな環状に形成されている。
【００２９】
《逆流防止弁の動作》
図７に示すように、雨水が集水ます２１から補助ます２２に向かって流れると、逆流防止弁１０の弁体１２が雨水の流れによって押し上げられ、弁座１１の流通孔１１ｄが開かれる。これにより、雨水はエルボ管２２ａ内を下側から上側に向かって流れる。すなわち、雨水は補助ます２２内を上流側から下流側に向かって流通する。
【００３０】
一方、補助ます２２内に雨水の流れがない場合、弁体１２は自重によって下側に移動し、図８に示すように弁座１１の流通孔１１ｄは閉じられる。また、側溝１０２から最終ます２０に向かって雨水が流れる場合、すなわち、下流側から上流側に向かって雨水が逆流する場合にも、弁体１２は弁座１１上に載置された状態となり、弁座１１の流通孔１１ｄは閉じられる。したがって、雨水の逆流は防止される。
【００３１】
《封水部について》
図２の仮想線Ｗは、雨水が流れていないときの水面を表している。このように、雨水が流通していないときであっても、集水ます２１および補助ます２２の底部には、所定量の水が溜まっている。その結果、集水ます２１の底部２１ａから補助ます２２のエルボ管２２ａにわたって、封水部Ｓが形成される。
【００３２】
逆流防止弁１０は、雨水の逆流を防止するだけでなく、下流側から上流側への異臭および害虫等の侵入を防いでいる。本実施形態では、さらに、最終ます２０に封水部Ｓが形成され、この封水部Ｓによっても異臭および害虫等の侵入が阻止されている。すなわち、異臭および害虫等の侵入を、逆流防止弁１０と封水部Ｓとによって２重に防止している。
【００３３】
《逆流防止弁の取付方法》
本実施形態に係る逆流防止弁１０は、以下のようにして取り付けることができる。まず、予め弁座１１に弁体１２を取り付けておく。すなわち、逆流防止弁１０を組み立てておく。具体的には、弁座１１の軸孔１１ｃに弁体１２の軸１２ａを挿通し、軸１２ａの先端部にストッパ１２ｃを取り付ける。
【００３４】
次に、このようにして組み立てられた逆流防止弁１０を、チーズ２２ｂの受口２６の内部、またはエルボ管２２ａの差口２４の上端に取り付ける。なお、逆流防止弁１０の固定方法は特に限定されないが、例えば、接着剤等を用いて固定することができる。また、この段階では逆流防止弁１０を接着剤等で固定せず、単に受口２６内に嵌め込み、あるいは差口２４の上端に載置するだけでもよい。
【００３５】
次に、チーズ２２ｂの受口２６をエルボ管２２ａの差口２４に嵌め込む。これにより、逆流防止弁１０の弁座１１の外周部１１ａが受口２６と差口２４との間に挟み込まれ、逆流防止弁１０が受口２６内に固定される。その後、接着剤等を用いてチーズ２２ｂの受口２６とエルボ管２２ａの差口２４とを接着させる。なお、逆流防止弁１０は受口２６と差口２４との間に介在しているので、この際、逆流防止弁１０も受口２６および差口２４に固定されることになる。
【００３６】
《実施形態の効果》
以上のように、本実施形態に係る雨水の排水管路構造１００によれば、逆流防止弁１０は、点検口２５を有する補助ます２２の内部に配置されている。また、逆流防止弁１０は、少なくとも一部が点検口２２ｄの下方に位置するように配置されている。そのため、点検口２２ｄを通じて、弁座１１上のごみを取り除く等の逆流防止弁１０のメンテナンス作業を行うことができる。したがって、排水管路構造１００を敷設した後に、逆流防止弁１０のメンテナンス作業を比較的容易に実行することが可能となる。
【００３７】
補助ます２２は、宅内の雨水を最終的に一箇所に集める最終ます２０の一部を構成している。そのため、本実施形態によれば、逆流防止弁１０によって、宅内のすべての配管系統に対する逆流を防止することができる。本実施形態によれば、逆流防止弁１０を一箇所に設ければ足りるので、逆流防止弁を複数箇所に設ける場合と比べて、メンテナンス作業をより容易に行うことができる。
【００３８】
また、本実施形態によれば、集水ます２１の底部２１ａから補助ます２２のエルボ管２２ａにわたって封水部Ｓが形成されている。言い換えると、補助ます２２の内部における逆流防止弁１０の上流側に、封水部Ｓの少なくとも一部が形成されている。そのため、逆流防止弁１０とともに封水部Ｓによっても、異臭や害虫等の上流側への侵入を防止することができる。すなわち、異臭や害虫等の上流側への侵入を二重に阻止することが可能となる。なお、封水部Ｓの封水が枯渇したとしても、異臭や害虫等の侵入は逆流防止弁１０によって阻止される。
【００３９】
また、本実施形態では、補助ます２２が集水ます２１に接続されており、これら集水ます２１および補助ます２２によって、逆流防止弁付きの最終ます２０が構成されている。これら集水ます２１および補助ます２２を一体的に取り扱うことにより、すなわち、最終ます２０を一つの部品として管１０４および管１０５に接続することにより、排水管路構造１００を容易に敷設することができる。
【００４０】
なお、本実施形態に係る逆流防止弁１０によれば、弁座１１はチーズ２２ｂおよびエルボ管２２ａとは別体の部材であり、弁座１１の外周部１１ａがチーズ２２ｂの受口２６とエルボ管２２ａの差口２４との間に挟まれることによって、チーズ２２ｂおよびエルボ管２２ａの内部に配置される。そのため、チーズ２２ｂやエルボ管２２ａの形状に合わせて弁座１１を一体的に形成する必要がなく、弁座１１の構造を簡単化することができる。
【００４１】
また、本実施形態に係る逆流防止弁１０によれば、弁座１１に弁体１２を取り付け、弁座１１を受口２６と差口２４との間に介在させた状態で受口２６に差口２４を差し込むだけで、容易に固定することができる。したがって、逆流防止弁１０の取り付け作業を簡単に行うことができる。
【００４２】
また、本実施形態に係る逆流防止弁１０によれば、受口を有する任意の管状部材と差口を有する任意の管状部材との接続部分に、容易に設置することができる。互いに管口径（例えば、７５ｍｍ、１００ｍｍ等）の合った管状部材を準備すれば、管状部材の種類に関係なく、容易に設置することができる。したがって、汎用性の高い逆流防止弁を実現することができる。
【００４３】
また、本実施形態によれば、弁本体１２ｂの弁座１１と対向する面にシールリング１２ｅが設けられている。したがって、弁座１１に対する弁体１２の密着性を向上させることができ、逆流防止機能をより一層向上させることができる。なお、本実施形態では、弁本体１２ｂの弁座１１と対向する面にシールリング１２ｅを設けることとしたが、弁座１１の弁本体１２ｂと対向する面にシールリング１２ｅを設けるようにしてもよい。この場合にも同様の効果を得ることができる。
【００４４】
《変形例》
図５（ｂ）に示すように、上記実施形態に係る逆流防止弁１０では、弁座１１の流通孔１１ｄの周囲には、垂直に延びる垂直面１１ｆが形成されている。しかし、図９に示すように、弁座１１の流通孔１１ｄの周囲に、上方に向かって広がるようなテーパ面１１ｇを形成するようにしてもよい。
【００４５】
このように、流通孔１１ｄの周囲にテーパ面１１ｇを形成することにより、弁座１１の流通孔１１ｄの周囲に付着した砂やごみ等の異物は、自然落下しやすくなる。そのため、弁座１１の流通孔１１ｄの周囲に異物が溜まりにくくなり、弁体１２と弁座１１との間に異物が噛み込まれることを抑制することができる。したがって、弁体１２の開閉動作が安定する。また、流通孔１１ｄをより確実に閉じることができ、より安定した逆流防止効果を得ることができる。
【００４６】
特に、上記実施形態では、逆流防止弁１０の上方に点検口２２ｄが形成されている。点検口２２ｄには蓋２２ｅが被せられているが、蓋２２ｅには孔２５が形成されている。そのため、蓋２２ｅに孔２５が形成されていない場合に比べて、地上の砂やごみ等が補助ます２２の内部に入り込みやすい。したがって、上述の効果は、より有用なものとなる。
【００４７】
なお、上記実施形態では、点検筒２２ｃは、管継手の一種であるチーズ２２ｂを介してエルボ管２２ａに接続されていた。しかし、点検筒２２ｃをエルボ管２２ａと一体的に形成してもよい。また、補助ます２２から雨水を排出する排出口を点検筒２２ｃに形成するようにしてもよい。
【００４８】
＜実施形態２＞
図１０に示すように、実施形態２に係る逆流防止弁１０は、管継手４０の内部に設けられている。管継手４０は、コンクリートます５０の流出口５１に接続されており、コンクリートます５０の内部に配置されている。コンクリートます５０の流入口５２には、雨水を導入する管１０４ｂが接続されている。コンクリートます５０の上側には、点検口５５が形成されている。管継手４０には、コンクリートます５０から側溝（図１０では図示せず。図１の符号１０２参照）に向かって雨水を排出する管１０５が接続されている。
【００４９】
図１１に示すように、管継手４０は、エルボ管４１と、円筒状の管４４と、逆流防止弁１０とを備えている。エルボ管４１の一端には差口４２が形成され、他端には受口４３が形成されている。差口４２には、管１０５が嵌め込まれる（図１０参照）。なお、エルボ管４１の一端には、差口４２の代わりに受口が形成されていてもよい。受口４３には、管４４が嵌め込まれている。なお、本実施形態では、管４４の長さは受口４３の長さと略等しく（厳密には、受口４３の奥行き寸法と弁座１１の厚みを足した長さに等しく）、管４４は受口４３から突出しないようになっている。ただし、管４４の一部が受口４３から突出していてもよい。本実施形態では、管４４は受口４３内に嵌め込まれており、いわゆる差口としての役割を果たしている。なお、管４４ではなく、差口を有する管を受口４３に嵌め込むことも勿論可能である。
【００５０】
逆流防止弁１０の構成は実施形態１と同様である。本実施形態では、逆流防止弁１０の弁座１１は受口４３と管４４の上端との間に挟み込まれている。
【００５１】
図１０における符号Ｗは、雨水が流れていないときのコンクリートます５０内の水面を表している。このように、雨水が流通していないときであっても、コンクリートます５０には所定量の水が溜まっており、管継手４０の下端部は当該水に浸漬される。その結果、コンクリートます５０の底部から管継手４０の下端部にわたって、封水部Ｓが形成される。
【００５２】
実施形態１と同様、逆流防止弁１０は、雨水の逆流を防止するだけでなく、下流側から上流側への異臭および害虫等の侵入を防いでいる。本実施形態においても、異臭および害虫等の侵入は、逆流防止弁１０と封水部Ｓとによって２重に防止されている。
【００５３】
管継手４０は、逆流防止弁１０をエルボ管４１の受口４３内に配置した状態で、管４４を受口４３に嵌め込むことによって組み立てられる。なお、実施形態１と同様、差口としての管４４と受口４３とを接着することにより、逆流防止弁１０も受口４３内に固定される。
【００５４】
本実施形態によれば、逆流防止弁１０は、エルボ管４１を介して点検口５５の下方に配置されている。すなわち、逆流防止弁１０はエルボ管４１の内部に配置されているが、エルボ管４１の少なくとも一部は、コンクリートます５０の点検口５５の下方に配置されている。したがって、点検口５５を通じてエルボ管４１内の逆流防止弁１０をメンテナンスすることができる。したがって、本実施形態においても、排水管路構造１００を敷設した後に、逆流防止弁１０のメンテナンス作業を比較的容易に実行することが可能となる。
【００５５】
また、本実施形態においても、エルボ管４１の下端部すなわち上流端部がコンクリートます５０内の雨水に浸漬されることによって、コンクリートます５０の内部に封水部Ｓが形成される。したがって、本実施形態においても、異臭や害虫等の上流側への侵入を逆流防止弁１０と封水部Ｓとで防止することができ、異臭や害虫等の侵入を２重に阻止することができる。
【００５６】
本実施形態によれば、逆流防止機能を有する管継手４０を実現することができる。また、本実施形態においても、弁座１１は、エルボ管４１の受口４３と、差口としての管４４との間に挟まれた状態でエルボ管４１の内部に配置されるものであり、弁座１１はエルボ管４１と一体物ではない。そのため、エルボ管４１に弁座を形成する必要がなく、逆流防止機能を有する管継手を比較的簡単な構造で得ることができる。また、その他にも、実施形態１と同様の効果を得ることができる。
【００５７】
なお、実施形態１と同様、本実施形態においても、弁座１１の流通孔１１ｄの周囲に、上方に向かって広がるようなテーパ面を形成するようにしてもよい。
【産業上の利用可能性】
【００５８】
以上のように、本発明によれば、雨水の排水管路構造について有用である。
【図面の簡単な説明】
【００５９】
【図１】実施形態１に係る雨水の排水管路構造の構成図である。
【図２】最終ますの縦断面図である。
【図３】最終ますの平面図である。
【図４】蓋の平面図である。
【図５】（ａ）は弁座の平面図、（ｂ）は（ａ）のＶｂ−Ｖｂ線断面図である。
【図６】（ａ）は弁体の側面図、（ｂ）は弁体の裏面図である。
【図７】逆流防止弁の弁体が開いた状態の補助ますの縦断面図である。
【図８】逆流防止弁の弁体が閉じた状態の補助ますの縦断面図である。
【図９】変形例に係る弁座の断面図である。
【図１０】実施形態２に係る雨水の排水管路構造の構成図である。
【図１１】逆流防止弁を備えた管継手の断面図である。
【符号の説明】
【００６０】
１０    逆流防止弁
１１    弁座
１１ａ  外周部
１１ｂ  内側部
１１ｃ  軸孔
１１ｄ  流通孔
１１ｇ  テーパ面
１２    弁体
１２ａ  軸
１２ｂ  弁本体
２０    最終ます
２１    集水ます（上流側のます）
２２    補助ます（ます）
２２ａ  エルボ管
２２ｂ  チーズ（管継手）
２２ｃ  点検筒
２２ｄ  点検口
４１    エルボ管
１００  雨水の排水管路構造
１０２  側溝（雨水流路）
１０５  管（管路）
Ｓ      封水部
【図１】
0005027028.tif 000002
【図２】
0005027028.tif 000003
【図３】
0005027028.tif 000004
【図４】
0005027028.tif 000005
【図５】
0005027028.tif 000006
【図６】
0005027028.tif 000007
【図７】
0005027028.tif 000008
【図８】
0005027028.tif 000009
【図９】
0005027028.tif 000010
【図１０】
0005027028.tif 000011
【図１１】
0005027028.tif 000012